(57)【特許請求の範囲】
【請求項１】
デジタルカメラのカメラ本体から突出して内部に空室をもって形成された突出部と、
前記突出部に対応して前記カメラ本体の内側に配置され、前記空室へ向かって音声を発するスピーカと、
前記突出部の側壁に形成され、前記空室に連通する開口部と、
を有し、
前記突出部の頂部の裏側であって前記スピーカに対向する面が、中央部から外側へ向かって前記スピーカから離間する方向に形成されていることを特徴とするデジタルカメラ用音響装置。
【請求項２】
前記側壁が前記突出部の突出する方向へ向けて接近する方向へ傾斜することを特徴とする請求項１記載のデジタルカメラ用音響装置。
【請求項３】
前記突出部の頂部に滑り止め加工が施されたことを特徴とする請求項１または請求項２記載のデジタルカメラ用音響装置。
【発明の詳細な説明】
【０００１】
【発明の属する技術分野】
本発明は、デジタルカメラ用音響装置に関する。
【０００２】
【従来の技術】
デジタルカメラでは、図６に示すように、スピーカ１０２は背面１０４に配置されたものが一般的である。
【０００３】
しかし、スピーカ１０２の配置位置によっては、ユーザーがデジタルカメラ１００を手１０６で持った際にスピーカ１０２が手１０６で覆われてしまい、スピーカ１０２からの音圧が低下して音声が聞き取りにくくなっていた。
【０００４】
このような原因のため、音圧低下を防ぐためのスピーカ１０２の配置としては、デジタルカメラ１００を手１０６で持った際に手１０６で覆われない範囲への配置に限定されていた。
【０００５】
一方、デジタルカメラ１００の背面１０４には、例えば、メニューキー１０８、実行キー１１０、キャンセルキー１１２、マルチファンクションの十字キー１１４、ファインダ接眼部１１６、表示パネル１１８、画像モニター１２０等が配設されている。ここで、ファインダ接眼部１１６は、覗きやすい位置にある必要があり、画像モニター１２０は、手で隠れない位置にある必要がある等、各構成部の配置には、デジタルカメラ１００の操作性との関係である程度の制約があるため、デジタルカメラ１００を小型化した場合には、レイアウト上、手１０６で覆われない範囲にスピーカ１０２を配置することが難しかった。
【０００６】
【発明が解決しようとする課題】
本発明は、上記事実を考慮して、スピーカ配置の自由度を高めながら小型化にも寄与するとともに手で保持した場合の音圧の低下を防ぐことができるデジタルカメラ用音響装置を提供することを課題とする。
【０００７】
【課題を解決するための手段】
請求項１に記載する本発明のデジタルカメラ用音響装置は、デジタルカメラのカメラ本体から突出して内部に空室をもって形成された突出部と、前記突出部に対応して前記カメラ本体の内側に配置され、前記空室へ向かって音声を発するスピーカと、前記突出部の側壁に形成され、前記空室に連通する開口部と、を有し、前記突出部の頂部の裏側であって前記スピーカに対向する面が、中央部から外側へ向かって前記スピーカから離間する方向に形成されていることを特徴とする。
【０００８】
請求項１に記載する本発明のデジタルカメラ用音響装置によれば、突出部の側壁の開口部は、空室に連通しており、スピーカの音声は、突出部の空室を通って側壁の開口部から外へ向かって発せられる。
【０００９】
このように、スピーカからの音声をカメラ本体の裏面から直接発するのではなく、側壁の開口部から発することで、突出部の表面を指で把持した場合にも音圧低下を防ぐことができる。また、スピーカからの音声が側壁の開口部から発せられることから、スピーカの配置は、デジタルカメラを手で持った際に手で覆われない範囲に限定する必要がなくなるので、レイアウトの自由度を高めることができ、小型化にも寄与しうる。さらに、突出部の頂部の裏側であってスピーカに対向する面が、中央部から外側へ向かってスピーカから離間する方向に形成されているので、スピーカから出力された音の反射が少なくなり、音声がより聞き取り易くなる。
【００１０】
請求項２に記載する本発明のデジタルカメラ用音響装置は、請求項１の構成において、前記側壁が前記突出部の突出する方向へ向けて接近する方向へ傾斜することを特徴とする。
【００１１】
請求項２に記載する本発明のデジタルカメラ用音響装置によれば、側壁が突出部の突出する方向へ向けて接近する方向へ傾斜している。
【００１２】
カメラ本体に対して垂直でなく傾斜した側壁に開口部が設けられることで、スピーカからの音声は突出部の頂部の裏側で反射することなく開口部から直接外へ発せられやすくなる。
【００１３】
請求項３に記載する本発明のデジタルカメラ用音響装置は、請求項１または請求項２記載の構成において、前記突出部の頂部に滑り止め加工が施されたことを特徴とする。
【００１４】
請求項３に記載する本発明のデジタルカメラ用音響装置によれば、突出部の頂部が把持された場合、指の滑りが防止される。
【００１５】
このように、突出部の頂部に滑り止め加工が施されることで、ユーザーが頂部を把持した場合、指を滑らせることなく撮影することができる。
【００１６】
【発明の実施の形態】
本発明におけるデジタルカメラ用音響装置の実施の形態を図面に基づき説明する。
【００１７】
図４は、デジタルカメラ用音響装置を備えたデジタルカメラの背面斜視図である。このデジタルカメラ１０は略直方体形状を有し、ボディ１１の背面１１Ａが操作面となっている。背面１１Ａの上部には、ファインダ接眼部２６、表示パネル２８が設けられ、背面１１Ａの下部には、画像モニター３０が設けられている。
【００１８】
画像モニター３０の上方には、メニューキー１８、実行キー２０、キャンセルキー２２、マルチファンクションの十字キー２４が配設されている。
【００１９】
キャンセルキー２２とマルチファンクションの十字キー２４との間には、デジタルカメラ用音響装置１２が配置されている。
【００２０】
デジタルカメラ用音響装置１２は、図１に示すように、ボディ１１の背面１１Ａから突出して内部に空室１４Ｂをもって形成された突出部１４を備えている。
【００２１】
突出部１４の外形は、略円錐台形状、すなわち、円錐からその上部を底面に平行な面で取り除いたような形状である。突出部１４の高さは、デジタルカメラ１０（図５参照）の操作の邪魔にならない程度であると同時に、側壁１５に開口部１５Ａを設けられる程度である必要がある。
【００２２】
突出部１４の台状部分（頂部）には、デジタルカメラ１０（図５参照）の使用時に指で把持する面としての指掛かり面１４Ａが形成されている。指掛かり面１４Ａは、指が自然に掛かる程度の大きさであって皿状に窪んでおり、把持しやすいようになっている。このため、ユーザーが指掛かり面１４Ａを把持した場合には、デジタルカメラ１０（図５参照）全体をブレなく安定して保つことができる。デジタルカメラ１０全体が小型軽量の場合には、特にカメラブレが生じやすいので、有用である。また、指掛かり面１４Ａには、複数の小さな突起１４Ｃが設けられ、滑り止めの役目を果たしている。
【００２３】
突出部１４の内面は、突出部１４の外形にほぼ平行に形成されている。外面から内面までの間は、若干の厚みがあり、その厚みはほぼ均一である。
【００２４】
突出部１４に対応してボディ１１の内側には、スピーカ１６が配置されている。スピーカ１６は、音声信号に応じてスピーカ振動板１６Ａを振動させることで音声を発する構造になっている。そして、空室１４Ｂへ向かって音声を発することができるように、スピーカ１６は、空室１４Ｂ側へ向いている。スピーカ振動板１６Ａは、平面的な形状であってもコーン等の立体的な形状であっても良く、指掛かり面１４Ａに対してほぼ平行に設けられている。
【００２５】
このように、スピーカ振動板１６Ａと突出部１４の内面とで囲まれて略円錐台状の空室１４Ｂが形成されている。ここで、空室１４Ｂの底面部分の大きさは、スピーカ振動板１６Ａの大きさに対応していることが好ましい。空室１４Ｂの底面部分の大きさが小さい場合は、スピーカ振動板１６Ａの一部が塞がれてしまい、逆に空室１４Ｂの底面部分の大きさが大きい場合は、不要な空間を形成することになるためである。
【００２６】
突出部１４の側部には、側壁１５が形成されている。側壁１５は、ボディ１１から指掛かり面１４Ａの外周部へ延出するように設けられ、突出部１４の突出する方向へ向けて接近する方向へ傾斜している。
【００２７】
側壁１５の厚み方向へは、略長方形状の開口部１５Ａが開設されている。開口部１５Ａは、所定の間隔で周方向に沿って複数設けられている。図３は、側壁１５に開口部１５Ａの設けられた突出部１４の拡大正面図である。図３に示すように、側壁１５に占める開口部１５Ａの比率は、突出部１４の強度を保てる限度で大きいほど好ましい。このため、側壁１５は、外観としては、円上に所定の間隔で切り残された支柱が、指掛かり面１４Ａを含む皿状の部材を支持しているような形になっている。
【００２８】
図２に示すように、開口部１５Ａは、空室１４Ｂに連通しており、スピーカ振動板１６Ａからの音声が、突出部１４内部の空室１４Ｂを経て開口部１５Ａから外へ向かって発せられるようになっている。ここで、傾斜した側壁１５に開口部１５Ａが設けられることで、音声が開口部１５Ａから直接外へ発せられやすい構成になる。
【００２９】
指掛かり面１４Ａの裏側であってスピーカ１６に対向する面は、中央部から外側へ向かってスピーカ１６から離間する方向に形成されている。これにより、スピーカ１６から出力された音の反射が少なくなり、音声をより聞き取り易くできるようになっている。
【００３０】
上記構成によれば、図５に示すように、デジタルカメラ１０を手で保持している場合でも、開口部１５Ａから音声が発せられるため、従来と同一出力でも音圧低下を抑えられる。また、スピーカ１６（図１参照）の配置は、メニューキー１８等の操作スイッチや画像モニター３０等が配置されていない部分であれば良いため自由度が大きくなる。
【００３１】
次に、上記の実施形態の作用を説明する。
【００３２】
デジタルカメラ１０の使用時には、図１及び図５に示すように、突出部１４上の指掛かり面１４Ａが指で把持される。指掛かり面１４Ａには、複数の突起１４Ｃが設けられるので、ユーザーが指掛かり面１４Ａを把持した場合、指を滑らせることなく撮影することができる。
【００３３】
突出部１４の側壁１５の開口部１５Ａは、空室１４Ｂに連通しており、スピーカ１６の音声は、突出部１４の内部の空室１４Ｂを通って側壁１５の開口部１５Ａから外へ向かって発せられる。
【００３４】
このように、スピーカ１６からの音声をボディ１１の裏面１１Ａ（図５参照）から直接発するのではなく、側壁１５の開口部１５Ａから発することで、指掛かり面１４Ａを指で把持した場合にも音圧低下を防ぐことができる。また、スピーカ１６からの音声が側壁１５の開口部１５Ａから発せられることから、スピーカ１６の配置は、デジタルカメラ１０を手で持った際に手で覆われない範囲に限定する必要がなくなるので、レイアウトの自由度を高めることができ、小型化にも寄与しうる。
【００３５】
ここで、側壁１５は、ボディ１１から指掛かり面１４Ａへ向けて接近する方向へ傾斜する。ボディ１１に対して垂直でなく傾斜した側壁１５に開口部１５Ａが設けられることで、スピーカ１６からの音声は指掛かり面１４Ａの裏側で反射することなく開口部１５Ａから直接外へ発せられやすくなる。
【００３６】
また、指掛かり面１４Ａの裏側であってスピーカ１６に対向する面は、中央部から外側へ向かってスピーカ１６から離間する方向に形成される。スピーカ１６に対向する面を平面とせず、中央部から外側へ向かってスピーカ１６から離間する形状とすることで、スピーカ１６からの音声の反射が少なくなる。これにより、音声をより聞き取り易くできる。
【００３７】
なお、上記においては、デジタルカメラ用音響装置が画像モニターの上方に配置される構成を例にとって、本発明の実施の形態を具体的に説明したが、例えば、画像モニターの右方でも構わず、デジタルカメラ用音響装置の配置はこれに限定されるものではない。
【００３８】
また、上記の実施の形態では、突出部の頂部の指掛かり面が、皿状に窪んでいるとしているが、本発明の頂部の形状はこれに限定されず、例えば、略平板状としても良い。
【００３９】
さらに、上記の実施の形態では、突出部の頂部の指掛かり面には、複数の小さな突起が設けられているが、本発明の滑り止め加工はこれに限定されず、例えば、波型加工したり滑り止めの溝を設けても良い。
【００４０】
【発明の効果】
以上説明したように、本発明によれば、スピーカ配置の自由度を高めながら小型化にも寄与するとともに手で保持した場合の音圧の低下を防ぐことができるという優れた効果を有する。
【図面の簡単な説明】
【図１】本発明の実施の形態に係るデジタルカメラ用音響装置の拡大斜視図である。
【図２】本発明の実施の形態に係るデジタルカメラ用音響装置の拡大断面図である。
【図３】本発明の実施の形態に係るデジタルカメラ用音響装置の拡大正面図である。
【図４】本発明の実施の形態に係るデジタルカメラ用音響装置を備えたデジタルカメラの外観を示す背面斜視図である。
【図５】本発明の実施の形態に係るデジタルカメラ用音響装置を備えたデジタルカメラの使用状態を示す図である。
【図６】従来のデジタルカメラの使用状態を示す図である。
【符号の説明】
１０    デジタルカメラ
１１    ボディ（カメラ本体）
１２    デジタルカメラ用音響装置
１４    突出部
１４Ａ  指掛かり面（頂部）
１４Ｂ  空室
１４Ｃ  突起（滑り止め）
１６    スピーカ
１５    側壁
１５Ａ  開口部
【図１】
0003980394.tif 000002
【図２】
0003980394.tif 000003
【図３】
0003980394.tif 000004
【図４】
0003980394.tif 000005
【図５】
0003980394.tif 000006
【図６】
0003980394.tif 000007